(57)【要約】【課題】止血作業を簡単かつ確実に行うことができ、止血の有無確認も行える止血具を提供する。【解決手段】内部が中空な筒状体からなる止血具本体２の外周面の一部に穿刺部に当接される平坦部２３を設け、その平坦部２３を覆うように吸収パッド３を取り付けるとともに、止血具本体２の内部空間２１に指を挿入するための作業孔２２を設け、指Ｆを止血具本体２から退かせることなく、包帯などによって止血具本体２を固定可能とする。【選択図】  図２
2004187955.tif 000002
【特許請求の範囲】
【請求項１】
カテーテル治療などによって人体に生じた穿刺部を止血する止血具において、
内部に指を挿通し得る弾性変形可能な筒体からなる止血具本体と、上記止血具本体の外周面側の一部分に、その軸線方向に沿って配置される吸収パッドとを備えていることを特徴とする止血具。
【請求項２】
上記止血具本体は、その外周面側の一部分に軸線方向と平行に形成された平坦部を備え、上記平坦部に沿って上記吸収パッドが配置されることを特徴とする請求項１に記載の止血具。
【請求項３】
上記吸収パッドが所定の接着手段を介して上記止血具本体に取り付けられていることを特徴とする請求項１または２に記載の止血具。
【請求項４】
上記止血具本体は、その円周方向に沿って形成された補強用のリブを備えていることを特徴とする請求項１，２または３に記載の止血具。
【請求項５】
上記止血具本体が透明材料からなることを特徴とする請求項１ないし４のいずれか１項に記載の止血具。
【発明の詳細な説明】
【０００１】
【発明の属する技術分野】
本発明は、カテーテル治療などによって人体に生じた穿刺部を止血するための止血具であって、さらに詳しく言えば、止血性が良好で、かつ、使いやすい止血具に関する。
【０００２】
【従来の技術】
カテーテルなどの動脈への穿刺作業を行う医療行為は、患者への体力の負担が比較的小さくてすむため、例えば動脈瘤治療など様々な医療に広く施術されている。通常、施術後は、動脈から針を抜去するが、カテーテルは針が太いため、穿刺部を確実に止血する必要がある。
【０００３】
そこで、通常では針の抜去後に穿刺部を脱脂綿などを介して１０分間以上指で押圧し、その後、俵状の面球などを穿刺部に押し付け包帯で固定するなどして止血するようにしている。しかしながら、他方で、現在の医療現場では医師や看護婦などの作業負担の軽減が切望されており、これを解決する手段のひとつとして例えば特許文献１に開示された止血用具が提案されている。
【０００４】
この止血用具は、穿刺部に押し当てられる止血パッドと、それを固定する接着テープとを一体化したものからなり、これによれば、止血作業と固定作業とが一人の作業者によって同時に行うことができ、止血作業をより効率的に行うことができるようになっている。
【０００５】
【特許文献１】
特開２００２−９５６６８号公報
【０００６】
【発明が解決しようとする課題】
しかしながら、この止血用具には次のような課題があった。すなわち、この止血パッドは、全体が俵状に圧縮形成された綿球からなり、針の抜去後に止血パッドの上側を指で押さえ付けながら穿刺部を圧迫しつつ、さらにその上から接着テープを巻き付けるようにしている。
【０００７】
そのため、接着テープを止血パッドに巻き付けるためには、止血パッド上の指を一旦退かさなければならない。しかし、止血パッドは、穿刺部に対して常に適度な押圧力をもって押圧されていることが好ましく、押圧力が弱すぎると止血が不十分となるおそれがあり、強すぎると血流を遮断するおそれがある。
【０００８】
したがって、止血パッドを押圧しながら、接着テープで固定するには、慎重な作業と熟練を要するばかりでなく、これに伴う作業時間の増加も否めない。
【０００９】
また、止血後に穿刺部が止血したかどうかを確認するためには、止血パッドを取り外して穿刺部を目視で確認するほか無く、止血が不十分の場合は、再度同様の止血作業を繰り返す必要があり、これも作業効率を低下させる一因となっている。
【００１０】
そこで、本発明は上述した課題を解決するためになされたものであって、その目的は、止血作業を簡単かつ確実に行うことができ、また、穿刺部から取り除くことなく止血の有無確認も行える止血具を提供することにある。
【００１１】
【課題を解決するための手段】
上述した目的を達成するため、本発明は、カテーテル治療などによって人体に生じた穿刺部を止血する止血具において、内部に指を挿通し得る弾性変形可能な筒体からなる止血具本体と、上記止血具本体の外周面側の一部分に、その軸線方向に沿って配置される吸収パッドとを備えていることを特徴としている。
【００１２】
これによれば、止血作業者は、止血具本体内の作業孔に指を差し入れて穿刺部を押圧しながら、指を止血具本体から退かせることなく、同時に包帯などによって止血具本体を固定することができる。
【００１３】
より好ましい態様として、上記止血具本体は、その外周面側の一部分に軸線方向と平行に形成された平坦部を備え、上記平坦部に沿って上記吸収パッドが配置される。なお、本発明において吸収パッドは所定の接着手段を介して上記止血具本体に取り付けられていてもよいし、また、止血具本体とは別部材であってもよい。
【００１４】
また、上記止血具本体は、その円周方向に沿って形成された補強用のリブを備えていることにより、包帯やテープで巻回して固定しても、止血具本体が変形して締め付けが緩んだりすることはない。
【００１５】
止血具を装着したままの状態で穿刺部が止血しているかどうかを確認するため、上記止血具本体は、上記吸収パッドを上記穿刺部に当接させた状態において、上記吸収パッドの反当接面側が上記止血具本体を通して目視可能な透明度を有する、すなわち、上記止血具本体が透明材料からなることが好ましい。これによれば、止血具本体が透明であるため、止血具本体を通して吸収パッドの血液斑を確認できる。
【００１６】
【発明の実施の形態】
次に、本発明の実施形態について図面を参照しながら説明する。図１は、本発明の一実施形態に係る止血具の斜視図であり、図２は、その止血具を異なる方向から切断した断面図である。
【００１７】
この止血具１は、弾性変形可能な合成樹脂製の成型品からなる止血具本体２を備えている。止血具本体２は、内部が中空な円筒状に形成されており、軸方向の一端側（図２（ａ）では左端部）の開口２２から内部空間２１に指Ｆを挿入することができるようになっている。すなわち、止血具本体２は、指Ｆを挿入し得る大きさの筒体であって、この例では一端側のみが開口されているが、両端が開口されていてもよい。
【００１８】
止血具本体２は、断面が円形もしくは楕円形であってもよいが、この例においては、止血具本体２の一部に図示しない穿刺部に当接される平坦部２３が設けられている。
【００１９】
図２（ａ）および（ｂ）に示すように、平坦部２３は、止血具本体２の外周面の一部が径方向に凹まされた平坦面からなり、止血具本体２の軸方向に沿って連続して設けられている。なお、この例では、平坦部２３の形成に伴い、内部空間２１側も凹まされている。
【００２０】
止血具本体２は、例えばポリプロピレンやポリカーボネイトなどの樹脂材により弾性変形可能な筒体として形成されるが、包帯やテープなどからの押圧力に対して適度な剛性を持たせるため、止血具本体２の外周面には、複数の補強用リブ２４が円周方向に沿って形成されている。
【００２１】
リブ２４は、この例では、３つの補強用リブ２４が止血具本体２の軸方向に沿って所定間隔で設けられている。図２（ａ）に示すように、この例では、リブ２４は半円状の凸リブからなるが、これ以外に半球状に凹まされた凹リブであってもよい。また、補強用リブ２４はこの例において円周方向に沿って形成するのが、最も効果的であるが、軸方向に沿って設けてもよい。
【００２２】
また、この例において、止血具本体２は、止血時に包帯やテープから受ける押圧力を効果的に平坦面２３に伝達できるように平坦部２３以外を円筒状に形成しているが、これ以外に角筒状や楕円筒状などに形成してもよい。これによれば、包帯やテープの接触面積が増え、より安定した固定が可能になる。
【００２３】
止血具本体２の平坦部２３の外周面側には、吸収パッド３が取り付けられている。吸収パッド３は、例えば綿製の不織布などの吸水性を有するシート片からなり、平坦部２３および止血具本体２の側面の一部分を含む領域にかけて固着されている。その固着方法は、ヒートシールや接着剤などであってよい。
【００２４】
なお、吸収パッド３の素材や構造など具体的な構成は任意であり、例えば吸水性ポリマーなど血液を含む液体に対して吸水性を有するものであれば適宜選択できる。また、抗菌剤や消毒剤などをさらに配合してもよい。
【００２５】
この例において、吸収パッド３は、止血具本体２に対してあらかじめ貼り付けられているが、別部材として用意しておき、止血作業時に例えば両面粘着テープなどを介して止血具本体２に吸収パッド３を貼り付けてもよいし、また、吸収パッド３を止血具本体２に貼り付けることなく、穿刺部に載せてから止血具本体２で押さえ付けるようにしてもよい。
【００２６】
止血具本体２は、吸収パッド３を穿刺部に当接させた状態において、吸収パッド３の反当接面側が止血具本体２を通して目視可能な透明度を有することが好ましい。これによれば、吸収パッド３に吸収された血液を止血具本体２を装着した状態のまま確認することができる。
【００２７】
次に、この止血具１を使った止血手順の一例を図３を参照して説明する。まず、針を抜去し、あらかじめ１０分程度脱脂綿などを介して指で押圧止血された穿刺部Ｓに対して止血具１の吸収パッド３を押し当てる。このとき、止血作業者は指Ｆを止血具本体２内に差し込み適度な押圧力で穿刺部Ｓを押圧する。
【００２８】
次に、止血作業者は、止血具本体２内に指Ｆを入れたまま、もう片方の手で接着テープＴを使って止血具本体２を人体に固定することにより、止血具１を穿刺部Ｓに押圧した状態のまま固定することができる。
【００２９】
接着テープＴが透明であれば、止血具１の装着中は、図４に示すように、透明な止血具本体２を通して、吸収パッド３の裏面側を目視することができ、吸収パッド３上に形成された血液斑Ｂを見て、止血状態を簡単に確認することができる。
【００３０】
なお、本発明の変形例として、止血具本体２を断面円形、もしくは楕円形もしくは角形の筒体とし、その外面の一部に吸収パッド３を軸方向に沿って取り付けるようにしてもよい。
【００３１】
【発明の効果】
以上説明したように、本発明によれば、内部が中空な筒状体からなる止血具本体の外周面の一部に穿刺部に当接される平坦部を設け、その平坦部を覆うように血液などの液体を吸収する吸収パッドを取り付けるとともに、止血具本体内に指を挿入するための作業孔を設けたことにより、指を止血具本体から退かせることなく、包帯などによって止血具本体を固定することができる。
【００３２】
また、止血具本体が吸収パッドの反当接面側が止血具本体を通して目視可能な程度に透明度を有することにより、止血具を装着したまま止血状態を確認することができる。
【図面の簡単な説明】
【図１】本発明の一実施形態に係る止血具の斜視図。
【図２】上記実施形態の止血具の縦断面図および横断面図。
【図３】止血具の使用状態を模式的に示した模式図１。
【図４】止血具の使用状態を模式的に示した模式図２。
【符号の説明】
１  止血具
２  止血具本体
２１  内部空間
２２  作業孔
２３  平坦部
２４  リブ
３  吸収パッド
Ｂ  血液斑
Ｆ  指
Ｔ  接着テープ
【図１】
2004187955.tif 000003
【図２】
2004187955.tif 000004
【図３】
2004187955.tif 000005
【図４】
2004187955.tif 000006